(57)【特許請求の範囲】
【請求項１】
テーパ管の端部に設けられたフランジをその軸方向両側から挟持する挟持部材と、
センサをその先端が上記テーパ管に向く状態で保持すると共に、基端が上記挟持部材に回動可能に支持され、上記センサの先端が上記テーパ管の外周面に接するように上記回動方向における支持角度が変更される保持部材とを備えている
ことを特徴とするセンサ固定器具。
【発明の詳細な説明】
【技術分野】
【０００１】
本願は、センサを測定対象物に固定するセンサ固定器具に関するものである。
【背景技術】
【０００２】
センサを測定対象物に固定する固定器具として、例えば特許文献１に開示されているものがある。この固定器具は、センサが取り付けられる保持部材と、測定対象物である配管５を保持部材とで挟持する挟持部材とを備えている。センサは、保持部材の連結孔にネジ締結されて取り付けられる。そして、センサが取り付けられた保持部材と挟持部材とで測定対象物を挟持することで、センサの先端が測定対象物に接触した状態でセンサが固定される。
【先行技術文献】
【特許文献】
【０００３】
【特許文献１】特開２０１３−１７０６８６号公報
【発明の概要】
【発明が解決しようとする課題】
【０００４】
ところで、上述したようなセンサを配管に接触させて固定する固定器具では、配管が略円錐状に形成されたテーパ管である場合、センサの取り付けが困難であり、取り付けたとしてもセンサの先端と配管との接触度合いが悪くなり、センサの検出精度が損なわれる虞があった。
【０００５】
本願に開示の技術は、かかる事情に鑑みてなされたものであり、その目的は、テーパ管にセンサを取り付ける場合でも、センサの検出精度を損なうことなくセンサを取り付けることが可能なセンサ固定器具を提供することにある。
【課題を解決するための手段】
【０００６】
本願に開示の技術は、挟持部材と保持部材を備えたセンサ固定器具に係るものである。上記挟持部材は、テーパ管の端部に設けられたフランジをその軸方向両側から挟持するものである。上記保持部材は、センサをその先端が上記テーパ管に向く状態で保持すると共に、基端が上記挟持部材に回動可能に支持され、上記センサの先端が上記テーパ管の外周面に接するように上記回動方向における支持角度が変更されるものである。
【発明の効果】
【０００７】
本願のセンサ固定器具によれば、センサを保持する保持部材が挟持部材に支持され、その挟持部材がテーパ管（測定対象物）のフランジを挟持することによって、センサをテーパ管に固定することができる。そして、本願のセンサ固定器具では、保持部材が、挟持部材に回動可能に支持され、センサの先端がテーパ管の外周面に接するように回動方向における支持角度が変更されるようになっている。そのため、テーパ管の外周面の傾斜角に応じて保持部材の支持角度を変更することにより、センサの先端をテーパ管の外周面に対して垂直に接触させることが可能である。したがって、センサの先端とテーパ管との接触度合いを良好に保つことができ、センサの検出精度を確保することができる。以上より、センサの検出精度を損なうことなく、測定対象物であるテーパ管にセンサを取り付けることが可能である。
【図面の簡単な説明】
【０００８】
【図１】図１は、実施形態に係るセンサ固定器具の概略構成をセンサ装置と共に示す正面図である。
【発明を実施するための形態】
【０００９】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１０】
図１に示すように、本実施形態のセンサ固定器具１０は、センサ装置１を測定対象物に接触させて固定するものである。本実施形態において、測定対象物は流体が流れるテーパ管５である。テーパ管５は、入口の径と出口の径が異なる管であり、外周面５ａが略円錐状になっている。
【００１１】
センサ装置１は、センサ本体２と無線機３を備えている。センサ本体２は、検出部である先端２ａがテーパ管５に接することで、テーパ管５の振動や温度を検出する。無線機３は、図示しないが、信号処理回路や発信部が内蔵されており、センサ本体２によって検出されたテーパ管５の振動や温度に関する信号を取得して外部に送信する。
【００１２】
センサ固定器具１０は、挟持部材１１と保持部材１５を備えている。
【００１３】
挟持部材１１は、一対のアーム部１２，１３を有するクランプである。一対のアーム部１２，１３は、テーパ管５のフランジ６をその軸方向（厚さ方向、図１に示す管軸方向）の両側から挟持するものである。フランジ６は、テーパ管５の端部（大径側の端部）に設けられており、例えば円形のものである。
【００１４】
保持部材１５は、センサ本体２の先端２ａがテーパ管５に向く状態でセンサ装置１を保持するものである。本実施形態において、センサ装置１は、センサ本体２が下側に位置し無線機３が上側に位置し、概ね上下方向に延びる状態で保持部材１５に保持される。センサ装置１は、センサ本体２が保持部材１５に対して垂直方向に貫通して固定されている。例えば、センサ本体２の外周面に雄ねじが形成され、保持部材１５にねじ孔が形成され、センサ本体２を保持部材１５のねじ孔に締結することにより、センサ装置１が保持部材１５に保持される。
【００１５】
また、保持部材１５は、基端（図１において右側端部）が挟持部材１１の支持部１４に回動可能に支持されている。支持部１４は、一対のアーム部１２，１３のうちテーパ管５側のアーム部１２に設けられている。支持部１４では、保持部材１５の支持角度、即ち保持部材１５の回動方向（図１に示す破線の矢印）における角度が変更自在になっている。つまり、保持部材１５は、センサ本体２の先端２ａがテーパ管５の外周面５ａに垂直に接するように回動方向における支持角度が変更される。さらに言い換えると、保持部材１５がテーパ管５の外周面５ａに対して平行となるように、支持部１４における保持部材１５の支持角度が変更される。
【００１６】
以上のように構成されたセンサ固定器具１０によれば、センサ本体２を保持する保持部材１５が挟持部材１１に支持され、その挟持部材１１が測定対象物であるテーパ管５のフランジ６を挟持することによって、センサ本体２（センサ装置１）をテーパ管５に固定することができる。つまり、上記実施形態では、テーパ管５に設けられているフランジ６を利用することにより、センサ本体２をテーパ管５に固定するようにした。
【００１７】
そして、上記実施形態のセンサ固定器具１０によれば、保持部材１５は、挟持部材１１に回動可能に支持され、センサ本体２の先端２ａがテーパ管５の外周面５ａに接するように回動方向における支持角度が変更される。そのため、テーパ管５の外周面５ａの傾斜角に応じて保持部材１５の支持角度を変更することにより、センサ本体２の先端２ａをテーパ管５の外周面５ａに対して垂直に接触させることが可能である。したがって、テーパ管５の外周面５ａの傾斜角に関係なく、センサ本体２の先端２ａとテーパ管５との接触度合いを良好に保つことができる。これによって、センサ本体２の検出精度を確保することができる。以上より、上記実施形態のセンサ固定器具１０によれば、センサ本体２の検出精度を損なうことなく、測定対象物であるテーパ管５にセンサを取り付けることが可能である。
【産業上の利用可能性】
【００１８】
本願に開示の技術は、センサをテーパ管の外周面に接触させて固定するセンサ固定器具について有用である。
【符号の説明】
【００１９】
１        センサ装置（センサ）
２ａ      先端
５        テーパ管
５ａ      外周面
６        フランジ
１０      センサ固定器具
１１      挟持部材
１５      保持部材
【図１】
0006420631.tif 000002